(57)【要約】【課題】搬送ケース内の屑の堆積を抑制できる穀稈搬送装置を提供する。【解決手段】搬送ケース２０と、駆動スプロケット２２及び従動スプロケット２１に巻回される爪付きチェーン２３と、を備え、搬送作用側で搬送ケース２０から突出する搬送爪２３ａが、駆動スプロケット２２の回転駆動に応じて穀稈を搬送する穂先搬送体１４であって、搬送ケース２０は、駆動スプロケット２２及び従動スプロケット２１の一側方に配置される第１ケース部２８と、駆動スプロケット２２及び従動スプロケット２１の他側方に配置され、非搬送作用側が開放された第２ケース部２９と、爪付きチェーン２３の回転軌跡内で、且つ駆動スプロケット２２と従動スプロケット２１との間に配置され、第１ケース部２８と第２ケース部２９との間の開口を覆う覆い部２９ｂと、を備える。【選択図】図６
2020145976.tif 000002
【特許請求の範囲】
【請求項１】
搬送ケースと、
前記搬送ケース内に軸支される駆動回転体及び従動回転体と、
複数の搬送爪が枢着され、前記駆動回転体及び前記従動回転体に巻回される爪付きチェーンと、を備え、
少なくとも搬送作用側で前記搬送ケースから突出する前記搬送爪が、前記駆動回転体の回転駆動に応じて穀稈を搬送する穀稈搬送装置であって、
前記搬送ケースは、
前記駆動回転体及び前記従動回転体の一側方に配置される第１ケース部と、
前記駆動回転体及び前記従動回転体の他側方に配置され、非搬送作用側が開放された第２ケース部と、
前記爪付きチェーンの回転軌跡内で、且つ前記駆動回転体と前記従動回転体との間に配置され、前記第１ケース部と前記第２ケース部との間の開口を覆う覆い部と、
前記第１ケース部の搬送作用側端部と前記第２ケース部の搬送作用側端部との間で、且つ両搬送作用側端部の搬送方向下流側に配置される屑排出口と、を備えることを特徴とする穀稈搬送装置。
【請求項２】
前記第１ケース部の搬送作用側端部及び前記第２ケース部の搬送作用側端部は、前記爪付きチェーンの外周側で前記搬送爪をガイドする第１ガイド部を備え、
前記屑排出口は、前記第１ガイド部の搬送方向下流側を省くことにより形成され、
前記第１ガイド部の搬送方向下流端は、搬送方向において、搬送方向下流側に配置される前記駆動回転体又は前記従動回転体の支軸位置を超えないことを特徴とする請求項１に記載の穀稈搬送装置。
【請求項３】
前記覆い部は、前記第２ケース部の一部を曲げ加工して形成されることを特徴とする請求項１又は２に記載の穀稈搬送装置。
【請求項４】
前記覆い部は、前記駆動回転体及び前記従動回転体の少なくとも一方に近接し、前記駆動回転体及び前記従動回転体の少なくとも一方に付着した屑を除去するスクレーパ部を一体に備えることを特徴とする請求項１〜３のいずれか１項に記載の穀稈搬送装置。
【請求項５】
前記搬送ケースは、前記爪付きチェーンの内周側又は側方で前記搬送爪をガイドする一対の第２ガイド部を備え、
一対の前記第２ガイド部は、前記第１ケース部の搬送作用側端部及び前記第２ケース部の搬送作用側端部から互いに近づく方向に延出し、
一対の前記第２ガイド部間には、屑の排出経路となる隙間が設けられることを特徴とする請求項２〜４のいずれか１項に記載の穀稈搬送装置。
【発明の詳細な説明】
【技術分野】
【０００１】
本発明は、コンバインなどに設けられる穀稈搬送装置に関する。
【背景技術】
【０００２】
コンバインは、穀稈を刈り取る刈取部や、脱穀済みの排稈を搬送する排稈搬送部に穀稈搬送装置を備える。例えば、特許文献１には、排稈搬送部において排稈の穂先側を搬送する穀稈搬送装置が開示されている。特許文献１の穀稈搬送装置は、搬送ケースと、搬送ケース内に軸支される駆動回転体及び従動回転体と、複数の搬送爪が枢着され、駆動回転体及び従動回転体に巻回される爪付きチェーンと、を備えており、少なくとも搬送作用側で搬送ケースから突出する搬送爪が、駆動回転体の回転駆動に応じて穀稈を搬送するように構成されている。また、搬送ケースは、駆動回転体及び従動回転体の一側方に配置される第１ケース部と、駆動回転体及び従動回転体の他側方に配置される第２ケース部と、を備えており、第２ケース部は、非搬送作用側が開放されている。このような穀稈搬送装置によれば、爪付きチェーン（搬送爪）に引っ掛かった屑や堆積した屑を第２ケース部の開放部で落下させることができるので、爪付きチェーンに対する屑の引っ掛かりや堆積を抑制できる。
【先行技術文献】
【特許文献】
【０００３】
【特許文献１】特開２００１−３５号公報
【発明の概要】
【発明が解決しようとする課題】
【０００４】
しかしながら、特許文献１の穀稈搬送装置では、第２ケース部の開放部で落下した屑が搬送ケース内の搬送作用側に侵入して堆積し、穀稈搬送装置の動作を阻害する虞があった。
【課題を解決するための手段】
【０００５】
本発明は、上記の如き実情に鑑みこれらの課題を解決することを目的として創作されたものであって、請求項１の発明は、搬送ケースと、前記搬送ケース内に軸支される駆動回転体及び従動回転体と、複数の搬送爪が枢着され、前記駆動回転体及び前記従動回転体に巻回される爪付きチェーンと、を備え、少なくとも搬送作用側で前記搬送ケースから突出する前記搬送爪が、前記駆動回転体の回転駆動に応じて穀稈を搬送する穀稈搬送装置であって、前記搬送ケースは、前記駆動回転体及び前記従動回転体の一側方に配置される第１ケース部と、前記駆動回転体及び前記従動回転体の他側方に配置され、非搬送作用側が開放された第２ケース部と、前記爪付きチェーンの回転軌跡内で、且つ前記駆動回転体と前記従動回転体との間に配置され、前記第１ケース部と前記第２ケース部との間の開口を覆う覆い部と、前記第１ケース部の搬送作用側端部と前記第２ケース部の搬送作用側端部との間で、且つ両搬送作用側端部の搬送方向下流側に配置される屑排出口と、を備えることを特徴とする。
また、請求項２の発明は、請求項１に記載の穀稈搬送装置であって、前記第１ケース部の搬送作用側端部及び前記第２ケース部の搬送作用側端部は、前記爪付きチェーンの外周側で前記搬送爪をガイドする第１ガイド部を備え、前記屑排出口は、前記第１ガイド部の搬送方向下流側を省くことにより形成され、前記第１ガイド部の搬送方向下流端は、搬送方向において、搬送方向下流側に配置される前記駆動回転体又は前記従動回転体の支軸位置を超えないことを特徴とする。
また、請求項３の発明は、請求項１又は２に記載の穀稈搬送装置であって、前記覆い部は、前記第２ケース部の一部を曲げ加工して形成されることを特徴とする。
また、請求項４の発明は、請求項１〜３のいずれか１項に記載の穀稈搬送装置であって、前記覆い部は、前記駆動回転体及び前記従動回転体の少なくとも一方に近接し、前記駆動回転体及び前記従動回転体の少なくとも一方に付着した屑を除去するスクレーパ部を一体に備えることを特徴とする。
また、請求項５の発明は、請求項２〜４のいずれか１項に記載の穀稈搬送装置であって、前記搬送ケースは、前記爪付きチェーンの内周側又は側方で前記搬送爪をガイドする一対の第２ガイド部を備え、一対の前記第２ガイド部は、前記第１ケース部の搬送作用側端部及び前記第２ケース部の搬送作用側端部から互いに近づく方向に延出し、一対の前記第２ガイド部間には、屑の排出経路となる隙間が設けられることを特徴とする。
【発明の効果】
【０００６】
請求項１の発明によれば、第２ケース部は、非搬送作用側が開放されているので、爪付きチェーン（搬送爪）に引っ掛かった屑や堆積した屑を第２ケース部の開放部で落下させることにより、爪付きチェーンに対する屑の引っ掛かりや堆積を抑制できる。また、爪付きチェーンの回転軌跡内で、且つ駆動回転体と従動回転体との間には、第１ケース部と第２ケース部との間の開口を覆う覆い部が配置されているので、第２ケース部の開放部で落下した屑が搬送ケース内の搬送作用側に侵入することを阻止できる。また、第１ケース部の搬送作用側端部と第２ケース部の搬送作用側端部との間で、且つ両搬送作用側端部の搬送方向下流側には、屑排出口が配置されているので、仮に搬送ケース内の搬送作用側に屑が侵入しても、その屑を爪付きチェーンの回転に応じて屑排出口から排出することができる。
また、請求項２の発明によれば、屑排出口は、第１ガイド部の搬送方向下流側を省くことにより形成されるので、コストアップを抑制できる。また、第１ガイド部の搬送方向下流端は、搬送方向において、搬送方向下流側に配置される駆動回転体又は従動回転体の支軸位置を超えないので、必要なガイド範囲を確保しつつ、屑排出口を広く形成できる。
また、請求項３の発明によれば、覆い部は、第２ケース部の一部を曲げ加工して形成されるので、構造の簡略化及びコストダウンが図れる。
また、請求項４の発明によれば、覆い部は、駆動回転体及び従動回転体の少なくとも一方に近接し、駆動回転体及び従動回転体の少なくとも一方に付着した屑を除去するスクレーパ部を一体に備えるので、コストアップを抑制しつつ、駆動回転体及び従動回転体に付着した屑を除去することができる。
また、請求項５の発明によれば、一対の第２ガイド部間には、屑の排出経路となる隙間が設けられるので、仮に搬送ケース内の搬送作用側に屑が侵入しても、その屑を一対の第２ガイド部間の屑排出経路を介して屑排出口に導くことができる。
【図面の簡単な説明】
【０００７】
【図１】本発明の一実施形態に係るコンバインの全体側面図である。
【図２】コンバインの全体平面図である。
【図３】排稈搬送装置の正面図である。
【図４】排稈搬送装置の側面図である。
【図５】排稈搬送装置の平面図である。
【図６】穂先搬送体の斜視図である。
【図７】穂先搬送体の側面図である。
【図８】穂先搬送体の内部側面図である。
【図９】図７のＡ−Ａ断面図である。
【発明を実施するための形態】
【０００８】
以下、本発明の実施の形態について、図面に基づいて説明する。図１及び図２において、１はコンバインであって、該コンバイン１は、穀稈を刈り取る前処理部２と、刈り取った穀稈から穀粒を脱穀して選別する脱穀部３と、選別済みの穀粒を貯溜する穀粒タンク４と、脱穀済みの排稈を処理する後処理部５と、左右一対のクローラ走行体を備える走行部６と、各種の操作具が配置される操縦部７と、を備える。
【０００９】
前記脱穀部３は、側面部に沿って設けられる脱穀フィードチェーン８を備える。脱穀フィードチェーン８は、前処理部２の終端部まで搬送された穀稈を受け継ぎ、受け継いだ穀稈の株元側を上方に並設される挟扼レール９との間で挟持しながら後方に搬送する。このとき、搬送穀稈の穂先側は、脱穀部３の扱室（図示せず）内を通過する際に扱胴（図示せず）の回転脱穀作用を受ける。
【００１０】
前記脱穀部３の後方には、排稈搬送装置１１が平面視傾斜状に配置されている。図３〜図５に示すように、排稈搬送装置１１は、脱穀フィードチェーン８の終端部まで搬送された排稈（脱穀済み穀稈）の株元側を後方に搬送する株元搬送体１３と、排稈の穂先側を後方に搬送する穂先搬送体１４（穀稈搬送装置）とを、稈長方向に所定の間隔を存して並列状に組付けて構成されている。
【００１１】
株元搬送体１３は、脱穀部３から取出した動力で駆動する搬送始端側の駆動スプロケット（図示せず）と、搬送終端側に設けられる従動スプロケット（図示せず）との間に、排稈フィードチェーン１７を巻回するとともに、排稈フィードチェーン１７の下方に挟扼レール１８を並設して構成されている。そして、排稈フィードチェーン１７は、脱穀フィードチェーン８の終端部まで搬送された排稈の株元側を挟扼レール１８との間で挟持しながら後方の後処理部５に向けて搬送するが、さらに株元搬送体１３には、排稈フィードチェーン１７の中間部に噛合して穂先搬送体１４の動力を取り出す中間スプロケット１９（図９参照）が設けられている。
【００１２】
図３〜図９に示すように、穂先搬送体１４は、搬送ケース２０と、該搬送ケース２０内の搬送始端側に内装される従動スプロケット２１（従動回転体）と、該従動スプロケット２１を回転自在に支持する従動スプロケット軸２１ａと、搬送ケース２０内の搬送終端側に内装される駆動スプロケット２２（駆動回転体）と、該駆動スプロケット２２を一体回転自在に支持し、かつ中間スプロケット１９に連動連結される駆動スプロケット軸２２ａと、両スプロケット２１、２２間に巻回される爪付きチェーン２３と、該爪付きチェーン２３に起倒自在に枢着される複数の搬送爪２３ａと、該搬送爪２３ａを爪付きチェーン２３の搬送作用側で起立ガイドする第１ガイド部２４及び第２ガイド部２５と、搬送ケース２０内のの中間部に設けられるテンションローラ２６と、を備える。
【００１３】
搬送作用側で起立した搬送爪２３ａは、搬送ケース２０の下部に形成される突出口２０ｃから下方に突出し、搬送ガイド２７との間で排稈の穂先側を後方に搬送する。また、搬送作用側の終端まで達した搬送爪２３ａは、爪付きチェーン２３に沿う倒伏姿勢で非搬送作用側を循環する。
【００１４】
搬送ケース２０は、駆動スプロケット２２及び従動スプロケット２１の一側方に配置される第１ケース部２８と、駆動スプロケット２２及び従動スプロケット２１の他側方に配置される第２ケース部２９と、を備える。具体的に説明すると、第１ケース部２８は、搬送ケース２０の株元搬送体１３と対向する一方側の側面を構成し、第２ケース部２９は、搬送ケース２０の他方側の側面を構成している。
【００１５】
第１ケース部２８は、爪付きチェーン２３のチェーン本体２３ｂ、駆動スプロケット２２及び従動スプロケット２１の一側方を覆う一方、第２ケース部２９は、爪付きチェーン２３のチェーン本体２３ｂ、駆動スプロケット２２及び従動スプロケット２１の他側方のうち、搬送作用側のみを覆い、非搬送作用側を開放している。このような搬送ケース２０によれば、爪付きチェーン２３のチェーン本体２３ｂや搬送爪２３ａに引っ掛かった屑や堆積した屑を第２ケース部２９の開放部２９ａで落下させることにより、爪付きチェーン２３に対する屑の引っ掛かりや堆積を抑制できる。
【００１６】
搬送ケース２０は、爪付きチェーン２３の回転軌跡内で、且つ駆動スプロケット２２と従動スプロケット２１との間に配置され、第１ケース部２８と第２ケース部２９との間の開口を覆う覆い部２９ｂを備える。このような搬送ケース２０によれば、第２ケース部２９の非搬送作用側を開放したことによって生じる第１ケース部２８と第２ケース部２９との間の開口が覆い部２９ｂによって覆われるので、第２ケース部２９の開放部２９ａで落下した屑が搬送ケース２０内の搬送作用側に侵入することを阻止できる。
【００１７】
覆い部２９ｂは、第２ケース部２９の一部を曲げ加工して形成される。具体的には、金属板材からなる第２ケース部２９の上端側を内側に折り曲げることで覆い部２９ｂが形成される。このような搬送ケース２０によれば、覆い部２９ｂを別部材で形成する場合に比べ、構造の簡略化及びコストダウンが図れる。
【００１８】
図９に示すように、覆い部２９ｂは、正面視において、第１ケース部２８から離れるほど低くなるように傾斜している。このような搬送ケース２０によれば、覆い部２９ｂ上に落下した屑を傾斜に沿ってケース外側方に排出することができる。また、本実施形態の穂先搬送体１４は、図３及び図９に示すように、正面視において、上側が株元搬送体１３から離間し、下側が株元搬送体１３に近づくように傾斜して配置されるので、覆い部２９ｂの実質的に傾斜角度を大きくし、覆い部２９ｂ上に落下した屑の排出を促進できる。
【００１９】
図６に示すように、覆い部２９ｂは、駆動スプロケット２２及び従動スプロケット２１に近接し、駆動スプロケット２２及び従動スプロケット２１に付着した屑を除去するスクレーパ部２９ｃ、２９ｄ、２９ｅを一体に備える。具体的に説明すると、スクレーパ部２９ｃ、２９ｄは、駆動スプロケット２２の側面部及び外周部に近接することで、駆動スプロケット２２に付着した屑を除去し、スクレーパ部２９ｅは、従動スプロケット２１の外周部に近接することで、従動スプロケット２１に付着した屑を除去する。このような搬送ケース２０によれば、コストアップを抑制しつつ、駆動スプロケット２２及び従動スプロケット２１に付着した屑を除去することができる。
【００２０】
また、搬送ケース２０は、第１ケース部２８の搬送作用側端部と第２ケース部２９の搬送作用側端部との間で、且つ両搬送作用側端部の搬送方向下流側に配置される屑排出口３０を備える。このような搬送ケース２０によれば、仮に搬送ケース２０内の搬送作用側に屑が侵入しても、その屑を爪付きチェーン２３の回転に応じて屑排出口３０から排出することができる。
【００２１】
図８及び図９に示すように、第１ガイド部２４は、第１ケース部２８の搬送作用側端部及び第２ケース部２９の搬送作用側端部から互いに近づく方向に延出し、爪付きチェーン２３の外周側で搬送爪２３ａを起立ガイドする一対のガイド部材２４ａを備える。屑排出口３０は、第１ガイド部２４の搬送方向下流側を省くことにより形成されている。このような搬送ケース２０によれば、第１ガイド部の搬送方向下流側を省くことにより屑排出口３０が形成されるので、コストアップを抑制できる。
【００２２】
また、第１ガイド部２４の搬送方向下流端は、搬送方向において、搬送方向下流側に配置される駆動スプロケット２２の支軸位置（駆動スプロケット軸２２ａ位置）を超えないようにしてある。このようにすると、第１ガイド部２４の必要なガイド範囲を確保しつつ、屑排出口３０を広く形成できる。
【００２３】
図８及び図９に示すように、第２ガイド部２５は、第１ケース部２８の搬送作用側端部及び第２ケース部２９の搬送作用側端部から互いに近づく方向に延出し、爪付きチェーン２３の内周側又は側方で搬送爪２３ａを起立ガイドする一対のガイド部材２５ａを備える。一対のガイド部材２５ａ間には、屑の排出経路となる隙間Ｓが設けられる。このような搬送ケース２０によれば、仮に搬送ケース２０内の搬送作用側に屑が侵入しても、その屑を一対のガイド部材２５ａ間の屑排出経路を介して屑排出口３０に導くことができる。
【００２４】
叙述の如く構成された本実施形態によれば、搬送ケース２０と、搬送ケース２０内に軸支される駆動スプロケット２２及び従動スプロケット２１と、複数の搬送爪２３ａが枢着され、駆動スプロケット２２及び従動スプロケット２１に巻回される爪付きチェーン２３と、を備え、少なくとも搬送作用側で搬送ケース２０から突出する搬送爪２３ａが、駆動スプロケット２２の回転駆動に応じて穀稈を搬送する穂先搬送体１４であって、搬送ケース２０は、駆動スプロケット２２及び従動スプロケット２１の一側方に配置される第１ケース部２８と、駆動スプロケット２２及び従動スプロケット２１の他側方に配置され、非搬送作用側が開放された第２ケース部２９と、を備えるので、爪付きチェーン２３に引っ掛かった屑や堆積した屑を第２ケース部２９の開放部２９ａで落下させることにより、爪付きチェーン２３に対する屑の引っ掛かりや堆積を抑制できる。
【００２５】
また、搬送ケース２０は、爪付きチェーン２３の回転軌跡内で、且つ駆動スプロケット２２と従動スプロケット２１との間に配置され、第１ケース部２８と第２ケース部２９との間の開口を覆う覆い部２９ｂを備えるので、第２ケース部２９の開放部２９ａで落下した屑が搬送ケース２０内の搬送作用側に侵入することを阻止できる。
【００２６】
また、搬送ケース２０は、第１ケース部２８の搬送作用側端部と第２ケース部２９の搬送作用側端部との間で、且つ両搬送作用側端部の搬送方向下流側に配置される屑排出口３０を備えるので、仮に搬送ケース２０内の搬送作用側に屑が侵入しても、その屑を爪付きチェーン２３の回転に応じて屑排出口３０から排出することができる。
【００２７】
また、第１ケース部２８の搬送作用側端部及び第２ケース部２９の搬送作用側端部は、爪付きチェーン２３の外周側で搬送爪２３ａをガイドする第１ガイド部２４を備え、屑排出口３０は、第１ガイド部２４の搬送方向下流側を省くことにより形成されるので、コストアップを抑制できる。
【００２８】
また、第１ガイド部２４の搬送方向下流端は、搬送方向において、搬送方向下流側に配置される駆動スプロケット２２の支軸位置を超えないので、必要なガイド範囲を確保しつつ、屑排出口３０を広く形成できる。
【００２９】
また、覆い部２９ｂは、第２ケース部２９の一部を曲げ加工して形成されるので、構造の簡略化及びコストダウンが図れる。
【００３０】
また、覆い部２９ｂは、駆動スプロケット２２及び従動スプロケット２１に近接し、前記駆動回転体及び前記従動回転体に付着した屑を除去するスクレーパ部２９ｃ、２９ｄ、２９ｅを一体に備えるので、コストアップを抑制しつつ、駆動スプロケット２２及び従動スプロケット２１に付着した屑を除去することができる。
【００３１】
また、搬送ケース２０は、爪付きチェーン２３の内周側又は側方で搬送爪２３ａをガイドする一対の第２ガイド部２５（ガイド部材２５ａ）を備え、一対の第２ガイド部２５は、第１ケース部２８の搬送作用側端部及び第２ケース部２９の搬送作用側端部から互いに近づく方向に延出し、一対の第２ガイド部２５間には、屑の排出経路となる隙間Ｓが設けられるので、仮に搬送ケース２０内の搬送作用側に屑が侵入しても、その屑を一対の第２ガイド部２５間の屑排出経路を介して屑排出口３０に導くことができる。
【００３２】
なお、本発明は前記実施形態に限定されるものではなく、特許請求の範囲に記載された本発明の要旨の範囲内において、種々の変形、変更が可能である。例えば、前記実施形態では、本発明の穀稈搬送装置として排稈搬送装置の穂先搬送体を例示したが、本発明は前処理部の穀稈搬送装置にも適用できる。
【符号の説明】
【００３３】
１  コンバイン
１１  排稈搬送装置
１３  株元搬送体
１４  穂先搬送体
２０  搬送ケース
２１  従動スプロケット
２２  駆動スプロケット
２３  爪付きチェーン
２３ａ  搬送爪
２４  第１ガイド部
２５  第２ガイド部
２８  第１ケース部
２９  第２ケース部
２９ａ  開放部
２９ｂ  覆い部
２９ｃ、２９ｄ、２９ｅ  スクレーパ部
３０  屑排出口
【図１】
2020145976.tif 000003
【図２】
2020145976.tif 000004
【図３】
2020145976.tif 000005
【図４】
2020145976.tif 000006
【図５】
2020145976.tif 000007
【図６】
2020145976.tif 000008
【図７】
2020145976.tif 000009
【図８】
2020145976.tif 000010
【図９】
2020145976.tif 000011